(57)【要約】【課題】面倒な操作なく、ユーザごとに画像や音声などのデータを分類整理し、ユーザが自分のデータを個別に検索あるいは再生可能な情報記録の仕組みを提供する。【解決手段】画像記録装置１は、無線タグ３０から取得された個人情報に対応する固有の情報記録領域を大容量記録媒体１９に確保する。撮影モードが選択された場合、シャッターボタンの全押しに応じて記録用の静止画データの取得を行うと、取得された記録用画像データを、所定の形式のファイルに変換した上、無線タグ３０から取得された個人情報に対応する固有の情報記録領域に、この画像ファイルを記録する。再生モードが選択された場合、無線タグ３０から取得された個人情報に対応する情報記録領域に記録された画像をメモリ部１３に展開し、展開した画像を表示部１２に表示する。【選択図】  図３
2007334938.tif 000002
【特許請求の範囲】
【請求項１】
画像データおよび音声データのうち少なくとも１つを含む記録用データの取得を指示する取得指示部と、
前記指示部の指示に応じ、前記記録用データを取得するデータ取得部と、
ユーザに固有のユーザ情報を取得するユーザ情報取得部と、
前記ユーザ情報取得部の取得したユーザ情報に対応する記録区分を所定の記録媒体内に確保する記録区分確保部と、
前記データ取得部の取得した記録用データを前記ユーザ情報取得部の取得したユーザ情報に対応する記録区分に記録する記録部と、
を備える情報記録装置。
【請求項２】
前記記録媒体中の記録用データの内所望の記録用データの再生を指示する再生指示部と、
前記再生指示部の指示に応じ、所望の記録用データを再生する再生部と、
を備え、
前記再生指示部は、前記ユーザ情報取得部の取得したユーザ情報に対応する記録区分の記録用データのみの再生を指示する請求項１に記載の情報記録装置。
【請求項３】
画像データおよび音声データのうち少なくとも１つを含む記録用データの取得を指示する取得指示部と、
前記指示部の指示に応じ、前記記録用データを取得するデータ取得部と、
ユーザに固有のユーザ情報を取得するユーザ情報取得部と、
前記データ取得部の取得した記録用データの識別情報の少なくとも一部として前記ユーザ情報取得部の取得したユーザ情報を付与した上で、前記識別情報の少なくとも一部として前記ユーザ情報の付与された記録用データを所定の記録媒体に記録する記録部と、
を備える情報記録装置。
【請求項４】
前記記録媒体中の記録用データの内所望の記録用データの再生を指示する再生指示部と、
前記再生指示部の指示に応じ、所望の記録用データを再生する再生部と、
を備え、
前記再生指示部は、前記ユーザ情報取得部の取得したユーザ情報が少なくとも識別情報の一部として付与された記録用データのみを再生する請求項３に記載の情報記録装置。
【請求項５】
前記ユーザ情報取得部は、非接触型ＩＣタグに記録されたユーザの識別情報およびユーザの人体に固有の生体情報のうち少なくとも１つを前記ユーザ情報として取得する請求項１〜４のいずれかに記載の情報記録装置。
【請求項６】
画像データおよび音声データのうち少なくとも１つを含む記録用データの取得を指示するステップと、
前記指示に応じ、前記記録用データを取得するステップと、
ユーザに固有のユーザ情報を取得するステップと、
取得したユーザ情報に対応する記録区分を所定の記録媒体内に確保するステップと、
取得した記録用データを取得したユーザ情報に対応する記録区分に記録するステップと、
を含む情報記録方法。
【請求項７】
画像データおよび音声データのうち少なくとも１つを含む記録用データの取得を指示するステップと、
前記指示に応じ、前記記録用データを取得するステップと、
ユーザに固有のユーザ情報を取得するステップと、
取得した記録用データの識別情報の少なくとも一部として前記取得したユーザ情報を付与した上で、前記識別情報の少なくとも一部としてユーザ情報の付与された記録用データを所定の記録媒体に記録するステップと、
を含む情報記録方法。
【発明の詳細な説明】
【技術分野】
【０００１】
本発明は電子機器におけるユーザごとの記録データの分類に関する。
【背景技術】
【０００２】
近年、メモリカードやハードディスクなど比較的大容量の記憶媒体を備えている、デジタルカメラ、ハードディスクレコーダ、パソコンその他の情報記録装置が普及している。このような装置は、ユーザが好きな画像・映像・音声を大量に記憶再生できるため、便利である。
【特許文献１】特開平１１−２４９９６３号公報
【発明の開示】
【発明が解決しようとする課題】
【０００３】
ところで、例えば一般的なデジタルカメラでは、撮影者が誰であるかにかかわらず、撮影した画像に連番のファイル名が付与されて、単一の記憶媒体にあるいは単一の記録領域に順次格納されていくのが通常である（図８参照）。
【０００４】
このように、複数のユーザがそれぞれ別個の機会に取得した画像を、同一の記憶媒体ないし記録領域に順次格納していくと、だれがどの画像を撮ったのか分からなくなり、後から特定のユーザが自分の撮った画像を検索するのは困難である。ハードディスクレコーダでこのような格納方式をとっても同じことが生じ、誰がどの番組を録画したのか容易に判別できず、自分が再生したい番組を探し出すのにいちいち再生して内容を確認しなければならず苦労する。
【０００５】
また、このような方式をとると、画像検索の過程で、自分の記録した画像が他人に見られてしまい、プライバシーの点で問題がある。
【０００６】
このような問題を解決するには、単一の記憶媒体内にユーザごとにフォルダを作成して、各人別に画像をフォルダで分類することが考えられる。しかし、フォルダを逐一作成する操作の手間が必要で面倒であるし、電子機器の操作に不慣れな者には余計な負担となる。
【０００７】
あるいは、ユーザ各人がそれぞれ異なる記憶媒体を保持しておき、自分が機器を使用する度に記憶媒体を入れ換えることが考えられる。しかし、いちいち記憶媒体を入れ換える手間が必要であるし、各人が不必要に大容量の記憶媒体を保持していてもその容量を十分生かせず、コストメリットに乏しい。
【０００８】
本発明はこのような問題点に鑑みてなされたもので、面倒な操作なく、ユーザごとに画像や音声などのデータを分類整理し、ユーザが自分のデータを個別に検索あるいは再生可能な情報記録の仕組みを提供することを目的とする。
【課題を解決するための手段】
【０００９】
本発明に係る情報記録装置は、画像データおよび音声データのうち少なくとも１つを含む記録用データの取得を指示する取得指示部と、指示部の指示に応じ、記録用データを取得するデータ取得部と、ユーザに固有のユーザ情報を取得するユーザ情報取得部と、ユーザ情報取得部の取得したユーザ情報に対応する記録区分を所定の記録媒体内に確保する記録区分確保部と、データ取得部の取得した記録用データをユーザ情報取得部の取得したユーザ情報に対応する記録区分に記録する記録部と、を備える。
【００１０】
この発明によると、ユーザ情報取得部がユーザ情報を取得すると、その取得したユーザ情報に対応する記録区分が確保され、以後、ユーザ情報取得部の取得したユーザ情報に対応する記録区分に記録用データが記録される。
【００１１】
これにより、ユーザ情報ごとに区分されてデータが記録されていくから、各ユーザが自分で記録したデータを、自分のユーザ情報およびそれに対応する記録区分で区別することができ、自分の記録したデータの検索が容易になる。
【００１２】
この情報記録装置は、記録媒体中の記録用データの内所望の記録用データの再生を指示する再生指示部と、再生指示部の指示に応じ、所望の記録用データを再生する再生部と、を備え、再生指示部は、ユーザ情報取得部の取得したユーザ情報に対応する記録区分の記録用データのみの再生を指示するとよい。
【００１３】
すなわち、ユーザ情報取得部の取得したユーザ情報に対応する記録区分の記録用データのみの再生が許可されるため、自分の記録した画像や音声が他人によって再生され、プライバシーが害される心配がない。
【００１４】
また、本発明に係る情報記録装置は、画像データおよび音声データのうち少なくとも１つを含む記録用データの取得を指示する取得指示部と、指示部の指示に応じ、記録用データを取得するデータ取得部と、ユーザに固有のユーザ情報を取得するユーザ情報取得部と、データ取得部の取得した記録用データの識別情報の少なくとも一部としてユーザ情報取得部の取得したユーザ情報を付与した上で、識別情報の少なくとも一部としてユーザ情報の付与された記録用データを所定の記録媒体に記録する記録部と、を備える。
【００１５】
この発明によると、ユーザ情報取得部がユーザ情報を取得すると、その取得したユーザ情報が記録用データの識別情報の一部として付与される。
【００１６】
これにより、ユーザごとに識別情報が付与されてデータが記録されていくから、各ユーザが自分で記録したデータを、識別情報に自分のユーザ情報が付与されているか否かで区別でき、自分の記録したデータの検索が容易になる。
【００１７】
この情報記録装置は、記録媒体中の記録用データの内所望の記録用データの再生を指示する再生指示部と、再生指示部の指示に応じ、所望の記録用データを再生する再生部と、を備え、再生指示部は、ユーザ情報取得部の取得したユーザ情報が少なくとも識別情報の一部として付与された記録用データのみを再生する。
【００１８】
すなわち、ユーザ情報取得部の取得したユーザ情報が識別情報の一部に付与されている記録用データのみの再生が許可されるため、自分の記録した画像や音声が他人によって再生され、プライバシーが害される心配がない。
【００１９】
ユーザ情報取得部は、非接触型ＩＣタグに記録されたユーザの識別情報およびユーザの人体に固有の生体情報のうち少なくとも１つをユーザ情報として取得する。
【００２０】
こうすると、ユーザが複雑な操作を意識することなく容易にユーザ情報を情報記録装置に取得させ、これに基づいて自分の記録したデータだけを検索あるいは再生できる。
【００２１】
本発明に係る情報記録方法は、画像データおよび音声データのうち少なくとも１つを含む記録用データの取得を指示するステップと、指示に応じ、記録用データを取得するステップと、ユーザに固有のユーザ情報を取得するステップと、取得したユーザ情報に対応する記録区分を所定の記録媒体内に確保するステップと、取得した記録用データを取得したユーザ情報に対応する記録区分に記録するステップと、を含む。
【００２２】
本発明に係る情報記録方法は、画像データおよび音声データのうち少なくとも１つを含む記録用データの取得を指示するステップと、指示に応じ、記録用データを取得するステップと、ユーザに固有のユーザ情報を取得するステップと、取得した記録用データの識別情報の少なくとも一部として取得したユーザ情報を付与した上で、識別情報の少なくとも一部としてユーザ情報の付与された記録用データを所定の記録媒体に記録するステップと、を含む。
【発明の効果】
【００２３】
この発明によると、ユーザ情報ごとに区分されてデータが記録されていくから、各ユーザが自分で記録したデータを、自分のユーザ情報およびそれに対応する記録区分で区別することができ、自分の記録したデータの検索が容易になる。
【００２４】
またこの発明によると、ユーザごとに識別情報が付与されてデータが記録されていくから、各ユーザが自分で記録したデータを、識別情報に自分のユーザ情報が付与されているか否かで区別でき、自分の記録したデータの検索が容易になる。
【発明を実施するための最良の形態】
【００２５】
以下、添付した図面を参照し本発明の好ましい実施の形態を説明する。
【００２６】
＜第１実施形態＞
図１は、本発明の好ましい実施形態に係る画像記録装置１の機能ブロック図である。画像記録装置１は、撮像部１１、制御部２０、外部Ｉ／Ｆ部１６、大容量記録媒体１９、表示部１２、電源部１４、メモリ部１３、処理部１５を備えている。
【００２７】
撮像部１１は、ＣＣＤやＣＭＯＳなどの画像エリアセンサおよびレンズを含む光学ユニットから構成され、画像エリアセンサの取得した画像データは制御部２０内の画像処理部に送られる。
【００２８】
制御部２０は、画像記録装置１の各ブロックの制御を統合するＣＰＵを中核としたデータ処理回路である。制御部２０は、撮像部１１からのアナログ画像データをデジタル画像データに処理したり、この画像データをＪＰＥＧ形式やＥｘｉｆ形式など所定のファイル形式に圧縮し大容量記録媒体１９に記録したり、あるいは該圧縮画像ファイルをメモリ部１３に展開して表示部１２の映像信号に変換する機能を有する。
【００２９】
外部Ｉ／Ｆ部１６は、パソコンその他の外部電子機器と有線（例えばＵＳＢ、ＩＥＥＥ１３９４、ＳＣＳＩ、ＬＡＮ）または無線（例えばＩｒＤＡ、Ｂｌｕｅｔｏｏｔｈ，Ｗ−ＬＡＮ、ＵＷＢ）で接続し、画像データその他の各種データを互いに通信する。
【００３０】
大容量記録媒体１９は、メモリカードなどの取り外し可能な記録媒体か、またはフラッシュメモリ、ハードディスクユニット（ＨＤＤ）、ＤＶＤなどの書き込み／消去可能な大容量の記録媒体である。
【００３１】
表示部１２は、大容量記録媒体１９に記録された画像（静止画像または動画像のうち少なくとも一方を含む。以下同じ。）や、ＲＯＭに記録されたメニュー、アイコン、キャラクタなどを表示する画面であり、ＬＣＤなどで構成される。
【００３２】
電源部１４は、図示しないバッテリーや外部電源と接続し、各ブロックに所望の電圧を供給する。
【００３３】
メモリ部１３は、プログラムを格納するＥＥＰＲＯＭや、制御部２０の処理に必要なデータを一時的に格納するワーク領域としてのＲＡＭで構成される。
【００３４】
無線タグ処理部１５は、外部に存在する無線タグ３０（ＲＦＩＤ）を認識し、無線タグ３０内に格納されている各ユーザに固有の識別情報（以下「個人情報」という）その他の情報を読み取り、その情報をメモリ部１３に記憶する。
【００３５】
無線タグ３０は、ユーザの保有する免許証、保険証、クレジットカードなどの携帯型のカードや、ユーザの保有するアクセサリや携帯電話などに埋め込まれている。
【００３６】
図２は画像記録装置１の実行する処理の流れの一例を示すフローチャートである。
【００３７】
Ｓ１では、電源スイッチの押下に応じて電源部１４が各ブロックへの電源供給を開始する。
【００３８】
Ｓ２では、制御部２０は、大容量記録媒体１９の全記憶容量および記憶可能残容量や、これまで無線タグ３０から取得した個人情報の数などの各種情報を、メモリ部１３から取得する。
【００３９】
Ｓ３では、制御部２０は、無線タグ処理部１５が無線タグ３０の存在を認識したか否かを判断する。無線タグ３０の存在を認識した場合はＳ４、認識しない場合はＳ８に移行する。
【００４０】
Ｓ４では、無線タグ処理部１５は、無線タグ３０と通信して個人情報（ここでは一例として「ＡＡＡ」）を取得する。
【００４１】
Ｓ５では、無線タグ３０から取得された個人情報（以下「現在個人情報」とする）と、ＥＥＰＲＯＭの個人情報とをマッチングすることで、無線タグ３０の所有者が画像記録装置１を過去に使用した実績を有しているか否かを判断する。無線タグ３０の所有者に画像記録装置１を過去に使用した実績があると判断した場合はＳ６、実績がない場合はＳ７に移行する。
【００４２】
Ｓ６では、現在個人情報に対応する固有の情報記録領域を大容量記録媒体１９に確保する。この情報記録領域は、単一の大容量記録媒体１９において、個人情報ごとに論理的あるいは物理的に区別されるものであり、一例を挙げると、フォルダ、ディレクトリ、ノード、パーティション、セクタ、ブロックなどで区別される。また、現在個人情報は、使用実績のあるユーザの個人情報として、ＥＥＰＲＯＭに記憶される。なお、確保すべき固有の情報記録領域の容量は、大容量記録媒体１９の全容量の１０％など、全容量に基づいて決めてもよい。あるいは大容量記録媒体１９の残容量の１０％など、残容量に基づいて決めてもよい。
【００４３】
Ｓ７では、大容量記録媒体１９にすでに確保されている記録領域のうち、現在個人情報に対応する固有の情報記録領域を特定し、その領域を使用可能にする。
【００４４】
Ｓ８では、無線タグ３０からの個人情報取得が不可能なユーザ（無名ユーザ）に対応したデフォルトの領域を使用可能にする。
【００４５】
Ｓ９では、図示しないモード切替スイッチや操作メニューから、撮影モードまたは再生モードへの移行の指示を受け付ける。撮影モードが指示された場合はＳ１０へ移行する。再生モードが指示された場合はＳ１５へ移行する。
【００４６】
Ｓ１０では、スルー画像を表示部１２に表示し、図示しないシャッターボタンの全押しを待機する。
【００４７】
Ｓ１１では、シャッターボタンの全押しに応じて記録用の静止画データの取得を行う。
【００４８】
Ｓ１２では、取得された記録用画像データを、所定の形式のファイルに変換した上、無線タグ３０から取得された個人情報に対応する固有の情報記録領域に、この画像ファイルを記録する。
【００４９】
図３は現在個人情報に対応して作成された情報記録領域に画像ファイルが記録されていく様子を概念的に示している。例えば、図３（ａ）に示すように、大容量記録媒体１９には、使用実績のあるユーザ「父親」の個人情報「ＡＡＡ」に対応する画像記録領域である「フォルダＡＡＡ」だけがすでに確保されているとする。ここで個人情報「ＢＢＢ」のユーザ「子供」が自己の保有する免許証、保険証、クレジットカード、アクセサリ、携帯電話などの物品に埋め込まれた無線タグ３０を画像記録装置１に近づけて自己の個人情報を読み取らせると、個人情報「ＢＢＢ」に対応した画像記録領域である「フォルダＢＢＢ」が「フォルダＡＡＡ」と区別されて大容量記録媒体１９に確保される。シャッターボタンの押下に応じて画像が取得されると、その画像は「子供」の画像記録領域に記録される。「子供」の撮影した画像の「フォルダＢＢＢ」への記録は、「子供」が電源をオフにするまで続行される。
【００５０】
このように、各ユーザは無線タグ３０によって個人情報を画像記録装置１に読み取らせることで、自己に固有の領域に画像を区分けして記録することができる。また、単一の記録媒体１９の内部にユーザごとの領域が確保されるため、ユーザごとに個別に記録媒体１９を保持する必要がないし、単一の記録媒体１９を複数のユーザで共有でき、無駄な残容量が発生しにくい。
【００５１】
なお、個人情報が取得できなかった場合（Ｓ８）は、デフォルトの記録領域に画像が記録される。
【００５２】
Ｓ１３では、電源スイッチが押下されたか否かを判断し、電源スイッチが押下された場合はＳ１４、押下されない場合はＳ１０に移行する。
【００５３】
Ｓ１４では、電源部１４が各ブロックへの電源供給を停止する。
【００５４】
Ｓ１５では、現在個人情報に対応する情報記録領域に記録された画像の一つ（例えば撮影日時の一番古いものあるいは一番新しいものや、ファイル名の連番の一番小さいものあるいは一番大きいもの）をメモリ部１３に展開し、展開した画像を表示部１２に表示する。
【００５５】
Ｓ１６では、図示しない十字キーなどが操作されて画像のコマ送りが指示されたことに応じ、現在表示されている画像の次の順番の画像を現在個人情報に対応する記録領域から読み出して表示部１２に表示する。
【００５６】
Ｓ１７では、電源スイッチが押下されたか否かを判断し、電源スイッチが押下された場合はＳ１８、押下されない場合はＳ１６に移行する。
【００５７】
Ｓ１８では、電源部１４が各ブロックへの電源供給を停止する。
【００５８】
図４は個人情報ごとのフォルダに記録された画像のうち、現在個人情報に対応するフォルダのみから再生すべき画像が選択されていく様子を示す。例えば図４（ａ）に示すように、現在個人情報が「ＡＡＡ」であれば、「ＡＡＡ」に対応する領域に格納された画像だけをコマ送り表示する画像として選択できる。あるいは図４（ｂ）に示すように、現在個人情報が「ＢＢＢ」であれば、「ＢＢＢ」に対応する領域に格納された画像だけをコマ送り表示する画像として選択できる。このように、現在個人情報に応じて再生画像の選択に制限をかけることで、自分に固有の領域に格納された画像が他のユーザによって閲覧されてしまうことを防げ、プライバシーの保護ができる。
【００５９】
＜第２実施形態＞
第１実施形態では、現在個人情報に対応する画像を別々の記録領域に格納することで分類していたが、画像ファイルの名称の一部に現在個人情報を付与することで各ユーザの撮影した画像を分類してもよい。
【００６０】
図５は画像記録装置１の実行する処理の流れの他の一例を示すフローチャートである。
【００６１】
Ｓ２１では、電源スイッチの押下に応じて電源部１４が各ブロックへの電源供給を開始する。
【００６２】
Ｓ２２では、制御部２０は、大容量記録媒体１９の全記憶容量および記憶可能残容量や、無線タグ３０からのユーザ情報取得数数などの各種情報を、メモリ部１３から取得する。
【００６３】
Ｓ２３では、制御部２０は、無線タグ処理部１５が無線タグ３０の存在を認識したか否かを判断する。無線タグ３０の存在を認識した場合はＳ２４、認識しない場合はＳ２６に移行する。
【００６４】
Ｓ２４では、無線タグ処理部１５は、無線タグ３０と通信して個人情報（ここでは一例として「ＡＡＡ」とする）を取得する。以下この個人情報を現在個人情報とする。
【００６５】
Ｓ２５では、新たに記録する画像ファイル名の一部に共通して付与する文字列を現在個人情報である「ＡＡＡ」に設定する。
【００６６】
Ｓ２６では、無線タグ３０からの個人情報取得が不可能な無名ユーザに対応したデフォルトの文字列（例えば「ＸＸＸ」）を画像ファイル名の一部に共通して付与する文字列に設定する。
【００６７】
Ｓ２７では、図示しないモード切替スイッチや操作メニューから、撮影モードまたは再生モードへの移行の指示を受け付ける。撮影モードが指示された場合はＳ２８へ移行する。再生モードが指示された場合はＳ３２へ移行する。
【００６８】
Ｓ２８では、スルー画像を表示部１２に表示し、図示しないシャッターボタンの全押しを待機する。
【００６９】
Ｓ２９では、シャッターボタンの全押しに応じて記録用の静止画データの取得を行う。
【００７０】
Ｓ３０では、取得された記録用画像データを、所定の形式のファイルに変換した上、この画像ファイルの識別情報（ファイル名）のいずれにも、現在個人情報の文字列を含んだ名称を付与する。
【００７１】
図６は現在個人情報が画像ファイル名に付与された様子を概念的に示している。例えば、図６（ａ）に示すように、大容量記録媒体１９には、個人情報「ＡＡＡ」のユーザが撮影した画像である「ＡＡＡ００００１．ＪＰＧ」だけがすでに記録されているとする。ここで個人情報「ＢＢＢ」のユーザが自己の保有する免許証、保険証、クレジットカード、アクセサリなどの物品に埋め込まれた無線タグ３０を画像記録装置１に近づけて自己の個人情報を読み取らせると、現在個人情報「ＢＢＢ」がファイル名に付与される文字列として設定される。シャッターボタンの押下に応じて画像が取得されると、その画像のファイル名の一部には「ＢＢＢ」が付与される。「ＢＢＢ」の文字列が付与された画像ファイルの記録は、「ＢＢＢ」のユーザが電源をオフにするまで続行される。
【００７２】
このように、各ユーザは無線タグ３０によって個人情報を画像記録装置１に読み取らせることで、自己に固有の情報を画像ファイル名に付与して記録することができ、他人の撮った画像ファイルと区別できる。
【００７３】
Ｓ３１では、電源スイッチが押下されたか否かを判断し、電源スイッチが押下された場合はＳ４０、押下されない場合はＳ２８に移行する。
【００７４】
Ｓ４０では、電源部１４が各ブロックへの電源供給を停止する。
【００７５】
Ｓ３２では、制御部２０は、無線タグ処理部１５がＳ２３と同一の無線タグ３０の存在を認識したか否かを判断する。無線タグ３０の存在を再び認識した場合はＳ３３、認識しない場合はＳ３６に移行する。
【００７６】
Ｓ３３では、現在個人情報の文字列がファイル名に付与された画像ファイルを大容量記録媒体１９から検索する。
【００７７】
Ｓ３４では、現在個人情報の文字列がファイル名に付与された画像のうちユーザの指定した所望の画像をＲＡＭに展開して表示部に表示する。
【００７８】
Ｓ３６では、大容量記録媒体１９の全ファイルの閲覧を禁止（ロック）する。あるいは、無名ユーザ用のデフォルトのファイル名が付与された画像ファイルのみを閲覧できるようにしてもよい。
【００７９】
Ｓ３７では、図示しない十字キーなどによって、現在個人情報の文字列が付与された画像の中から所望の再生すべき画像の指示を待つ。
【００８０】
Ｓ３８では、指示された画像を大容量記録媒体１９から読み出して表示部１２に表示する。
【００８１】
Ｓ３９では、電源スイッチが押下されたか否かを判断し、電源スイッチが押下された場合はＳ４１、押下されない場合はＳ３７に移行する。
【００８２】
Ｓ４１では、電源部１４が各ブロックへの電源供給を停止する。
【００８３】
図７は現在個人情報の付与された画像から所望の画像が選択される様子を示す。図７（ａ）に示すように、現在個人情報が「ＡＡＡ」であれば共通の文字列「ＡＡＡ」がファイル名の一部に付与された画像だけを再生すべき画像として選択できる。あるいは図７（ｂ）に示すように、現在個人情報が「ＢＢＢ」であれば共通の文字列「ＢＢＢ」がファイル名の一部に付与された画像だけを再生すべき画像として選択できる。こうすることで、自分の画像が他のユーザによって選択されて閲覧されてしまうことを防げ、プライバシーの保護ができる。また、他人の撮った無関係な画像は表示されないので、自分の撮った画像から目的の画像を素早く探し出すことができる。
【００８４】
＜第３実施形態＞
無線タグ処理部１５は、指紋認証装置、静脈認証装置、音声認証装置その他のユーザ個人に固有の生体情報に基づく情報を取得する装置であってもよい。つまり、生体情報取得装置が、ユーザの指紋画像、静脈画像、あるいは音声を個人情報として取得できれば、無線タグ３０からユーザ情報を取得することは必須でなくなる。
【００８５】
例えば、電源ボタンや十字ボタンなどの必然的に指が触れる部分に指紋画像取得装置を搭載し、ユーザがそれらの操作部を触れたときに指紋画像を個人情報として取得するとよい。
【００８６】
あるいは、画像記録装置１を遠隔操作する信号を送信するリモコンに静脈画像取得装置を搭載する。質のよい手の静脈の画像が取得できるよう、リモコンを把持したときに掌の中にリモコンが自然に収まるような形状とすることが好ましい。そして、ユーザがリモコンを把持したときに静脈画像すなわち個人情報を取得するとよい。
【図面の簡単な説明】
【００８７】
【図１】画像記録装置のブロック構成図
【図２】第１実施形態に係る処理の流れを示すフローチャート
【図３】個人情報ごとのフォルダに撮影された画像が記録されていく様子を概念的に示した図
【図４】個人情報ごとのフォルダに記録された画像から再生すべき画像が選択されていく様子を概念的に示した図
【図５】第２実施形態に係る処理の流れを示すフローチャート
【図６】個人情報ごとのファイル名が付与された画像が記録されていく様子を概念的に示した図
【図７】個人情報ごとのファイル名が付与された画像から再生すべき画像が選択されていく様子を概念的に示した図
【図８】従来のデジタルカメラにおける画像の記録方式を概念的に示す図
【符号の説明】
【００８８】
１１：撮像部、１２：表示部、１３：メモリ部、１４：電源部、１５：無線タグ処理部、１６：外部Ｉ／Ｆ部、１９：大容量記録媒体、２０：制御部、３０：無線タグ
【図１】
2007334938.tif 000003
【図２】
2007334938.tif 000004
【図３】
2007334938.tif 000005
【図４】
2007334938.tif 000006
【図５】
2007334938.tif 000007
【図６】
2007334938.tif 000008
【図７】
2007334938.tif 000009
【図８】
2007334938.tif 000010